(57)【特許請求の範囲】
【請求項１】
サービング発展型ノードＢ（ｅＮＢ）から、少なくとも１つの非サービングｅＮＢの１つまたは複数の伝送特性を備える情報を受信することと、ここにおいて、前記伝送特性が、前記少なくとも１つの非サービングｅＮＢの１つまたは複数の干渉特性を備える、
前記１つまたは複数の干渉特性を備える前記受信した情報に基づいて、干渉消去、復調、または改善されたチャネル品質インジケータ（ＣＱＩ）を与えることのうちの少なくとも１つを実行することとを備え、
前記情報は、ニューキャリアタイプ（ＮＣＴ）に関係する情報を備え、前記ＮＣＴに関係する情報は、前記非サービングｅＮＢからのサブフレームがレガシーキャリアタイプ（ＬＣＴ）に基づくか、前記ニューキャリアタイプ（ＮＣＴ）に基づくかを示し、
前記実行することは、前記ＮＣＴに関係する情報に基づき、セル固有基準信号干渉消去（ＣＲＳ−ＩＣ）を実行することを備える、
ワイヤレス通信の方法。
【請求項２】
前記１つまたは複数の干渉特性が、送信モード、無線ネットワーク一時識別子（ＲＮＴＩ）値、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、請求項１に記載の方法。
【請求項３】
前記情報がリレーノードの１つまたは複数の特性をさらに備え、
前記非サービングｅＮＢがドナーｅＮＢである、請求項１に記載の方法。
【請求項４】
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、請求項３に記載の方法。
【請求項５】
前記情報は、前記非サービングｅＮＢからのサブフレームが前記レガシーキャリアタイプ（ＬＣＴ）に基づくか、前記ニューキャリアタイプ（ＮＣＴ）に基づくか、前記ＬＣＴと前記ＮＣＴとに基づくかを示す、請求項１に記載の方法。
【請求項６】
前記情報がマシンタイプ通信（ＭＴＣ）に専用の狭帯域領域を示す、請求項１に記載の方法。
【請求項７】
前記情報が、前記非サービングｅＮＢから送信されたサブフレームにおける前記ニューキャリアタイプ（ＮＣＴ）と前記レガシーキャリアタイプ（ＬＣＴ）との間の時分割多重化（ＴＤＭ）区分を示す、請求項１に記載の方法。
【請求項８】
前記情報が、１６直交振幅変調（ＱＡＭ）についてのトラフィック対パイロット比（ＴＰＲ）変動または６４ＱＡＭのトラフィック対パイロット比（ＴＰＲ）変動を示す、請求項１に記載の方法。
【請求項９】
請求項１から８に記載の方法のうちの任意のものにしたがって方法を実行するための命令を備える、コンピュータプログラム。
【請求項１０】
サービング発展型ノードＢ（ｅＮＢ）から、少なくとも１つの非サービングｅＮＢの１つまたは複数の伝送特性を備える情報を受信するための手段と、ここにおいて、前記１つまたは複数の伝送特性が、前記少なくとも１つの非サービングｅＮＢの１つまたは複数の干渉特性を備える、
前記１つまたは複数の干渉特性を備える前記受信した情報に基づいて、干渉消去、復調、または改善されたチャネル品質インジケータ（ＣＱＩ）を与えることのうちの少なくとも１つを実行するための手段とを備え、
前記情報は、ニューキャリアタイプ（ＮＣＴ）に関係する情報を備え、前記ＮＣＴに関係する情報は、前記非サービングｅＮＢからのサブフレームがレガシーキャリアタイプ（ＬＣＴ）に基づくか、前記ニューキャリアタイプ（ＮＣＴ）に基づくかを示し、
前記実行するための手段は、前記ＮＣＴに関係する情報に基づき、セル固有基準信号干渉消去（ＣＲＳ−ＩＣ）を実行する手段を備える、
ワイヤレス通信のための装置。
【請求項１１】
前記１つまたは複数の干渉特性が、送信モード、無線ネットワーク一時識別子（ＲＮＴＩ）値、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、請求項１０に記載の装置。
【請求項１２】
前記情報がリレーノードの１つまたは複数の特性をさらに備え、
前記非サービングｅＮＢがドナーｅＮＢである、請求項１０に記載の装置。
【請求項１３】
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、請求項１２に記載の装置。
【請求項１４】
前記情報は、前記非サービングｅＮＢからのサブフレームが前記レガシーキャリアタイプ（ＬＣＴ）に基づくか、前記ニューキャリアタイプ（ＮＣＴ）に基づくか、前記ＬＣＴと前記ＮＣＴとに基づくかを示す、請求項１０に記載の装置。
【請求項１５】
前記情報が、１６直交振幅変調（ＱＡＭ）についてのトラフィック対パイロット比（ＴＰＲ）変動または６４ＱＡＭのトラフィック対パイロット比（ＴＰＲ）変動を示す、請求項１０に記載の装置。
【発明の詳細な説明】
【技術分野】
【０００１】
関連出願の相互参照
[0001]本出願は、その全体が参照により本明細書に明確に組み込まれる、２０１２年６月１９日に出願された「NETWORK INFORMATION FOR ASSISTING USER EQUIPMENT」と題する米国仮出願第６１／６６１，７３５号、および２０１３年６月１７日に出願されたNETWORK INFORMATION FOR ASSISTING USER EQUIPMENTと題する米国特許出願第１３／９２０，０３６号の利益を主張する。
【０００２】
[0002]本開示は、一般に通信システムに関し、より詳細には、ユーザ機器（ＵＥ）を支援するためのネットワーク情報に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、干渉非サービングセルに関する情報を収集し、その情報を使用して、サービングセル信号の復号を改善するＵＥであり得る。本方法は、サービング発展型ノードＢ（ｅＮＢ）から、少なくとも１つの非サービングセルの１つまたは複数の伝送特性を含む情報を受信することと、干渉消去、復調のうちの少なくとも１つを実行することとを含むか、または受信した情報に基づいて、改善されたチャネル品質インジケータ（ＣＱＩ：channel quality indicator）を与える。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中のｅＮＢおよびユーザ機器の一例を示す図。
【図７】[0012]異種ネットワーク中の範囲拡大セルラー領域を示す図。
【図８】[0013]ワイヤレス通信の方法のフローチャート。
【図９】[0014]例示的な装置中の異なるモジュール／手段／構成要素間のデータフローを示す概念データフロー図。
【図１０】[0015]処理システムを採用する装置のためのハードウェア実装形態の一例を示す図。
【発明を実施するための形態】
【０００７】
[0016]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0017]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【０００９】
[0018]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0019]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（登録商標）（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００１１】
[0020]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のＵＥ１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１２】
[0021]Ｅ−ＵＴＲＡＮは、ｅＮＢ１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（backhaul）（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0022]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
[0023]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0024]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0025]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0026]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0027]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間（spaced apart）する。離間（spacing）は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0028]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0029]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0030]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0031]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0032]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0033]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0034]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担当する。ＭＡＣサブレイヤ５１０はまたＨＡＲＱ動作を担当する。
【００２６】
[0035]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0036]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割当てとを行う。コントローラ／プロセッサ６７５はまた、ＨＡＲＱ動作と、紛失パケットの再送信と、ＵＥ６５０へのシグナリングとを担当する。
【００２８】
[0037]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００２９】
[0038]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0039]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0040]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0041]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0042]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0043]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0044]図７は、異種ネットワーク中の範囲拡大セルラー領域を示す図７００である。より低い電力クラスのｅＮＢ７１０ｂは、ＵＥ７２０によって実行される干渉消去によってセルラー領域７０２から拡張された範囲拡大セルラー領域７０３を有し得る。ＵＥ７２０は、マクロｅＮＢ７１０ａからより低い電力クラスのｅＮＢ７１０ｂにハンドオフされ得る。より低い電力クラスのｅＮＢ７１０ｂは、フェムトセル（たとえば、ホームｅＮＢ（ＨｅＮＢ））、ピコセル、またはマイクロセルであり得る。
【００３６】
[0045]以下で説明するように、ＵＥ７０２は、異種ネットワーク中でのＵＥ７０２のパフォーマンスを拡張するための情報を受信するように構成される。受信した情報は、干渉特性、リレー情報、ニューキャリアタイプ（ＮＣＴ）またはマシンタイプ通信（ＭＴＣ）に関係する情報、マルチユーザ多入力多出力（ＭＵ−ＭＩＭＯ）に関係する情報、多地点協調（ＣｏＭＰ：coordinated multi-point）に関係する情報、モビリティ情報、マルチフロー情報、マルチキャストブロードキャスト単一周波数ネットワーク（ＭＢＳＦＮ：multicast broadcast single frequency network）構成情報および／またはマルチメディアブロードキャストマルチキャストサービス（ＭＢＭＳ：multimedia broadcast multicast service）構成情報、レートマッチング情報、ならびに／あるいは測位基準信号（ＰＲＳ：positioning reference signal）に関係する情報を含み得る。ＵＥ７０２は、受信した情報を使用して、干渉消去、復調を実行し、および／または改善されたＣＱＩを与える。たとえば、ＵＥ７０２が、ＰＲＳに関係する情報を知っている場合、ＵＥ７０２は、ＰＲＳに関係する情報を利用して、ブラインド検出器を使用せずにＰＲＳを検出し得る。
【００３７】
[0046]干渉特性は、非サービングセル中のノード（たとえば、ｅＮＢ）の送信モード（ＴＭ）を示し得る。たとえば、送信モードは、単一の送信アンテナを示す「ＴＭ１」、送信ダイバーシティ（すなわち、２つのアンテナポートのための空間周波数ブロックコーディング（ＳＦＢＣ：space frequency block coding）詳細）を示す「ＴＭ２」など、ＵＥとの通信のために使用されるいくつかの送信モードのうちの１つであり得る。干渉特性は、非サービングセルによって使用されるキャリアタイプおよび／またはキャリアリリースをさらに示し得る。たとえば、キャリアタイプはレガシーキャリアタイプ（ＬＣＴ）および／またはＮＣＴであり得る。たとえば、キャリアリリースは、ＬＴＥリリース８／９／１０／１１／１２またはそれ以降など、特定のＬＴＥリリースを示し得る。そのようなキャリアリリース情報は、使用されているＴＭモード、チャネル状態情報基準信号（ＣＳＩ−ＲＳ：channel state information reference signal）情報、拡張物理ダウンリンク制御チャネル（ｅＰＤＣＣＨ：enhanced physical downlink control channel）情報および特定のリリースに対応する他の情報など、様々な情報を指定し得る。たとえば、ＵＥ７０２が、ｅＮＢによって使用されるＴＭモードを知っている場合、ＵＥ７０２は未知の送信モードのためのいくつかの仮定をスキップし得る。
【００３８】
[0047]干渉特性は、干渉物の制御スパン（たとえば、ＯＦＤＭシンボルの数および／またはＰＤＳＣＨの開始点）と、一般に使用される無線ネットワーク一時識別子（ＲＮＴＩ：radio network temporary identifier）値と、ＩＣリストと、復調基準信号（ＤＭＲＳ：demodulation reference signal）候補を絞り込むための仮想セル識別情報（ＩＤ）セットとをさらに示し得る。一構成では、ＤＭＲＳ候補はセル固有であり得る。別の構成では、ＤＭＲＳ候補はＵＥ固有であり得る。たとえば、ＵＥ７０２が仮想セルＩＤセットを知っている場合、ＵＥ７０２は、すべての可能なセルＩＤを探索するのではなく、仮想セルＩＤセットに関する候補のみを探索し得る。
【００３９】
[0048]干渉特性は、オールモストブランクサブフレーム（ＡＢＳ：almost blank subframe）と非ＡＢＳとのローディングレベルに関する統計値、前に使用されたトラフィック対パイロット比（ＴＰＲ：traffic-to-pilot ratio）に関する統計値（たとえば、平均ＴＰＲ）、前に使用されたＴＰＲ、１６ＱＡＭまたは６４ＱＡＭのＴＰＲ変動、前に使用された変調次数に関する統計値（たとえば、ＱＰＳＫまたは１６ＱＡＭの割合）、および／または前に使用された変調次数またはローディングをさらに示し得る。たとえば、ＡＢＳと非ＡＢＳとのローディングレベルに関する統計値は、（たとえば、使用されるＡＢＳの数と使用されないＡＢＳの数とに基づく）平均と分散とを示し得る。
【００４０】
[0049]リレー情報は、ドナーｅＮＢのローディング情報、リレーノードへのリソース割振り、および／またはドナーｅＮＢのタイプ（たとえば、マクロｅＮＢまたはピコｅＮＢ）を含み得る。一態様では、ＵＥは、リレーノードの選択がネットワーク中心ではなくＵＥ中心であるように、分散関連付けアルゴリズムを実装し得る。そのような態様では、ＵＥは、リレーノードの受信アンテナの数（より一般的にリレーノードのＵＥカテゴリー）、リレーノードのバックホール形状、および／またはリレーノードローディングを示すパラメータ（たとえば、「ＮｕｍＲＸ」）など、リレーノードのバックホールの品質を推測するための様々なパラメータを分析し得る。しかしながら、リレーノードのバックホールの品質を推測するためのそのようなパラメータは単一のパラメータ中に包摂され得る。一態様では、リレーノードは別のＵＥであり得る。
【００４１】
[0050]ＮＣＴに関係する情報は、非サービングセルのノードからの送信がＮＣＴに基づくか、ＬＣＴに基づくかを示し得る。サブフレームにおいてＮＣＴとＬＣＴの両方を含むために時分割多重化（ＴＤＭ）が使用される一態様では、サブフレームの処理を可能にするために、ＮＣＴとＬＣＴとを分離するＴＤＭ区分がＵＥに示され得る。ＮＣＴでは、ＣＲＳはすべてのサブフレームについて存在しない（たとえば、ＣＲＳは５つのサブフレームごとに存在し得る）。したがって、ＮＣＴとＬＣＴの両方が近隣セルにおいて使用される場合、ＵＥは、ＮＣＴの存在を通知され得、すべてのサブフレームのためのＣＲＳ干渉消去（ＣＲＳ−ＩＣ）を実行することを回避し得る。現在、ＮＣＴのための送信モードは判断されていない。さらに、ＮＣＴのＤＭＲＳパターンは、１次同期信号（ＰＳＳ：primary synchronization signal）と２次同期信号（ＳＳＳ：secondary synchronization signal）との衝突を回避するために変化し得る。
【００４２】
[0051]ＭＴＣに関係する情報は、ＵＥが、異なる消去方法または処理を適用することを可能にするために、ＭＴＣに専用の狭帯域領域を示し得る。一構成では、狭帯域からの送信はサブフレームのＰＤＳＣＨ領域とは異なる。
【００４３】
[0052]ＭＵ−ＭＩＭＯに関係する情報は、ＭＵ−ＭＩＭＯのために構成された他のユーザが、現在、非サービングセル中で送信しているかどうかなど、他のユーザに関する情報を示し得る。ＣｏＭＰに関係する情報は、ＣｏＭＰに関連する協働セットを示し得る。たとえば、協働セットは、ＰＤＳＣＨをＵＥに送信している１つまたは複数のノードを示し得る。モビリティ情報は、ハンドオーバプロシージャを実行するためにＵＥによって使用されるトンネリングされた非サービングセル情報を含み得る。マルチフロー情報は、マルチフロー構成の異なるノードと異なる無線アクセス技術（ＲＡＴ：radio access technology）とのローディング情報を示し得る。
【００４４】
[0053]ＭＢＳＦＮ構成情報および／またはＭＢＭＳ構成情報は、近隣セル中の非サービングｅＮＢのＭＢＳＦＮ構成および／またはＭＢＭＳ構成を含み得る。レートマッチング情報は、近隣セル中の非サービングｅＮＢのＰＤＳＣＨのためのレートマッチング情報を含み得る。ＰＲＳ情報は、近隣セル中の非サービングｅＮＢによって実装されるＰＲＳを示し得る。
【００４５】
[0054]図８は、ワイヤレス通信の方法のフローチャート８００である。本方法は、異種ネットーク中のＵＥ７０２などのＵＥによって実行され得る。ステップ８０２において、ＵＥは、サービングｅＮＢから、少なくとも１つの非サービングセルの１つまたは複数の伝送特性を含む情報を受信する。上記で説明したように、受信した情報は、干渉特性、リレー情報、ＮＣＴまたはＭＴＣに関係する情報、ＭＵ−ＭＩＭＯに関係する情報、ＣｏＭＰに関係する情報、モビリティ情報、マルチフロー情報、ＭＢＳＦＮ構成情報および／またはＭＢＭＳ構成情報、レートマッチング情報、ならびに／あるいはＰＲＳに関係する情報を含み得る。
【００４６】
[0055]ステップ８０４において、ＵＥは、サービングｅＮＢから１つまたは複数の信号を受信する。
【００４７】
[0056]ステップ８０６において、ＵＥは、受信した情報に基づいて干渉消去を実行する。たとえば、ＵＥは、受信した情報中に含まれる少なくとも１つの非サービングセルの干渉特性を使用して、少なくとも１つの非サービングセルからの信号によって生じる、サービングｅＮＢからの１つまたは複数の信号の干渉を消去し得る。
【００４８】
[0057]ステップ８０８において、ＵＥは、受信した情報に基づいて復調を実行する。たとえば、ＵＥは、受信した情報中に含まれる少なくとも１つの非サービングセルの伝送特性（たとえば、干渉特性）を使用して、サービングｅＮＢからの１つまたは複数の信号の復調を可能にし得る。
【００４９】
[0058]ステップ８１０において、ＵＥは、受信した情報に基づいて、改善されたＣＱＩを与える。たとえば、ＵＥは、受信した情報中に含まれる少なくとも１つの非サービングセルの伝送特性（たとえば、干渉特性）を使用して、サービングｅＮＢに関するＣＱＩを正確に判断し得る。ＵＥは、判断されたＣＱＩをサービングｅＮＢに送信し得る。
【００５０】
[0059]ステップ８０２、８０４、および８０６を含む経路、ステップ８０２、８０４、および８０８を含む経路、ならびにステップ８０２、８０４、および８１０を含む経路が代替機構を表すことを理解されたい。ステップ８０６、８０８、および８１０のいずれも、連続的に、並列に、様々な順序で、および様々な組合せで実行され得ることに留意されたい。
【００５１】
[0060]図９は、例示的な装置９０２の異なるモジュール／手段／構成要素間のデータフローを示す概念データフロー図９００である。本装置はＵＥであり得る。本装置は、サービングｅＮＢ９５０から、少なくとも１つの非サービングセルの１つまたは複数の伝送特性を含む情報を受信する受信モジュール９０４と、受信した情報を使用して干渉消去を実行する干渉消去モジュール９０６と、受信した情報を使用して復調を実行する復調モジュール９０８と、受信した情報を使用してＣＱＩを判断するＣＱＩモジュール９１０と、ＣＱＩを送信する送信モジュール９１２とを含む。
【００５２】
[0061]本装置は、図８の上述のフローチャート中のアルゴリズムのステップの各々を実行する追加のモジュールを含み得る。したがって、図８の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５３】
[0062]図１０は、処理システム１０１４を採用する装置９０２’のためのハードウェア実装形態の一例を示す図１０００である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４によって表される１つまたは複数のプロセッサおよび／またはハードウェアモジュールと、モジュール９０４、９０６、９０８、９１０、９１２と、コンピュータ可読媒体１００６とを含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上説明しない。
【００５４】
[0063]処理システム１０１４はトランシーバ１０１０に結合され得る。トランシーバ１０１０は１つまたは複数のアンテナ１０２０に結合される。トランシーバ１０１０は、伝送媒体を介して様々な他の装置と通信するための手段を与える。処理システム１０１４は、コンピュータ可読媒体１００６に結合されたプロセッサ１００４を含む。プロセッサ１００４は、コンピュータ可読媒体１００６に記憶されたソフトウェアの実行を含む一般的な処理を担当する。ソフトウェアは、プロセッサ１００４によって実行されたとき、処理システム１０１４に、特定の装置のための上記で説明した様々な機能を実行させる。コンピュータ可読媒体１００６はまた、ソフトウェアを実行するときにプロセッサ１００４によって操作されるデータを記憶するために使用され得る。処理システムは、モジュール９０４、９０６、９０８、９１０、および９１２のうちの少なくとも１つをさらに含む。それらのモジュールは、プロセッサ１００４中で動作するか、コンピュータ可読媒体１００６中に常駐する／記憶されたソフトウェアモジュールであるか、プロセッサ１００４に結合された１つまたは複数のハードウェアモジュールであるか、またはそれらの何らかの組合せであり得る。処理システム１０１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００５５】
[0064]一構成では、ワイヤレス通信のための装置９０２／９０２’は、サービングｅＮＢから、少なくとも１つの非サービングセルに関する情報を受信するための手段と、受信した情報に基づいて、干渉消去、復調、または改善されたＣＱＩを与えることのうちの少なくとも１つを実行するための手段とを含む。上述の手段は、上述の手段によって具陳された機能を実行するように構成された、装置９０２、および／または装置９０２’の処理システム１０１４の上述のモジュールのうちの１つまたは複数であり得る。上記で説明したように、処理システム１０１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【００５６】
[0065]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００５７】
[0066]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を備える、ワイヤレス通信の方法。
［Ｃ２］
前記１つまたは複数の伝送特性が、前記少なくとも１つの非サービングセルの１つまたは複数の干渉特性を備える、Ｃ１に記載の方法。
［Ｃ３］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ２に記載の方法。
［Ｃ４］
前記情報がリレーノードの１つまたは複数の特性をさらに備え、
前記非サービングセルがドナーｅＮＢである、Ｃ１に記載の方法。
［Ｃ５］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ４に記載の方法。
［Ｃ６］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ１に記載の方法。
［Ｃ７］
前記情報がマシンタイプ通信（ＭＴＣ）に専用の狭帯域領域を示す、Ｃ１に記載の方法。
［Ｃ８］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ１に記載の方法。
［Ｃ９］
前記情報は、マルチユーザ多入力多出力（ＭＵ−ＭＩＭＯ）のために構成されたノードが現在送信しているかどうかを示す、Ｃ１に記載の方法。
［Ｃ１０］
前記情報が、多地点協調（ＣｏＭＰ）構成に関連する協働セットを示す、Ｃ１に記載の方法。
［Ｃ１１］
前記情報が、ハンドオーバプロシージャを実行するために使用されるトンネリングされた非サービングセル情報をさらに備える、Ｃ１に記載の方法。
［Ｃ１２］
前記情報が、マルチフロー構成の異なるノードと異なる無線アクセス技術（ＲＡＴ）とのローディング情報を示す、Ｃ１に記載の方法。
［Ｃ１３］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ１に記載の方法。
［Ｃ１４］
前記情報が物理ダウンリンク共有チャネル（ＰＤＳＣＨ）のためのレートマッチング情報を示す、Ｃ１に記載の方法。
［Ｃ１５］
前記情報が、１６直交振幅変調（ＱＡＭ）または６４ＱＡＭのトラフィックパイロット間（ＴＰＲ）変動を示す、Ｃ１に記載の方法。
［Ｃ１６］
前記情報が、前記非サービングセルによって実装される測位基準信号（ＰＲＳ）の構成を示す、Ｃ１に記載の方法。
［Ｃ１７］
サービング発展型ノードＢ（ｅＮＢ）から、少なくとも１つの非サービングセルの１つまたは複数の伝送特性を備える情報を受信するための手段と、
前記受信した情報に基づいて、干渉消去、復調、または改善されたチャネル品質インジケータ（ＣＱＩ）を与えることのうちの少なくとも１つを実行するための手段と
を備える、ワイヤレス通信のための装置。
［Ｃ１８］
前記１つまたは複数の伝送特性が、前記少なくとも１つの非サービングセルの１つまたは複数の干渉特性を備える、Ｃ１７に記載の装置。
［Ｃ１９］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ１８に記載の装置。
［Ｃ２０］
前記情報がリレーノードの１つまたは複数の特性をさらに備え、
前記非サービングセルがドナーｅＮＢである、Ｃ１７に記載の装置。
［Ｃ２１］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ２０に記載の装置。
［Ｃ２２］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ１７に記載の装置。
［Ｃ２３］
前記情報がマシンタイプ通信（ＭＴＣ）に専用の狭帯域領域を示す、Ｃ１７に記載の装置。
［Ｃ２４］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ１７に記載の装置。
［Ｃ２５］
前記情報は、マルチユーザ多入力多出力（ＭＵ−ＭＩＭＯ）のために構成されたノードが現在送信しているかどうかを示す、Ｃ１７に記載の装置。
［Ｃ２６］
前記情報が、多地点協調（ＣｏＭＰ）構成に関連する協働セットを示す、Ｃ１７に記載の装置。
［Ｃ２７］
前記情報が、ハンドオーバプロシージャを実行するために使用されるトンネリングされた非サービングセル情報をさらに備える、Ｃ１７に記載の装置。
［Ｃ２８］
前記情報が、マルチフロー構成の異なるノードと異なる無線アクセス技術（ＲＡＴ）とのローディング情報を示す、Ｃ１７に記載の装置。
［Ｃ２９］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ１７に記載の装置。
［Ｃ３０］
前記情報が物理ダウンリンク共有チャネル（ＰＤＳＣＨ）のためのレートマッチング情報を示す、Ｃ１７に記載の装置。
［Ｃ３１］
前記情報が、１６直交振幅変調（ＱＡＭ）または６４ＱＡＭのトラフィックパイロット間（ＴＰＲ）変動を示す、Ｃ１７に記載の装置。
［Ｃ３２］
前記情報が、前記非サービングセルによって実装される測位基準信号（ＰＲＳ）の構成を示す、Ｃ１７に記載の装置。
［Ｃ３３］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を行うように構成された処理システム
を備える、ワイヤレス通信のための装置。
［Ｃ３４］
前記１つまたは複数の伝送特性が、前記少なくとも１つの非サービングセルの１つまたは複数の干渉特性を備える、Ｃ３３に記載の装置。
［Ｃ３５］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ３４に記載の装置。
［Ｃ３６］
前記情報がリレーノードの１つまたは複数の特性をさらに備え、
前記非サービングセルがドナーｅＮＢである、Ｃ３３に記載の装置。
［Ｃ３７］
前記リレーノードの前記１つまたは複数の特性が、前記ドナーｅＮＢのタイプと、前記ドナーｅＮＢのローディング情報と、前記リレーノードへのリソース割振りと、前記リレーノードのバックホール品質を示すパラメータとのうちの少なくとも１つを備える、Ｃ３６に記載の装置。
［Ｃ３８］
前記情報は、前記非サービングセルからのサブフレームがレガシーキャリアタイプ（ＬＣＴ）に基づくか、ニューキャリアタイプ（ＮＣＴ）に基づくか、前記ＬＣＴと前記ＮＣＴとに基づくかを示す、Ｃ３３に記載の装置。
［Ｃ３９］
前記情報がマシンタイプ通信（ＭＴＣ）に専用の狭帯域領域を示す、Ｃ１７に記載の装置。
［Ｃ４０］
前記情報が、前記非サービングｅＮＢから送信されたサブフレームにおけるニューキャリアタイプ（ＮＣＴ）とレガシーキャリアタイプ（ＬＣＴ）との間の時分割多重化（ＴＤＭ）区分を示す、Ｃ３３に記載の装置。
［Ｃ４１］
前記情報は、マルチユーザ多入力多出力（ＭＵ−ＭＩＭＯ）のために構成されたノードが現在送信しているかどうかを示す、Ｃ３３に記載の装置。
［Ｃ４２］
前記情報が、多地点協調（ＣｏＭＰ）構成に関連する協働セットを示す、Ｃ３３に記載の装置。
［Ｃ４３］
前記情報が、ハンドオーバプロシージャを実行するために使用されるトンネリングされた非サービングセル情報をさらに備える、Ｃ３３に記載の装置。
［Ｃ４４］
前記情報が、マルチフロー構成の異なるノードと異なる無線アクセス技術（ＲＡＴ）とのローディング情報を示す、Ｃ３３に記載の装置。
［Ｃ４５］
前記情報が、前記非サービングセルのマルチキャストブロードキャスト単一周波数ネットワーク（ＭＢＳＦＮ）構成と前記非サービングセルのマルチメディアブロードキャストマルチキャストサービス（ＭＢＭＳ）構成とのうちの少なくとも１つを示す、Ｃ３３に記載の装置。
［Ｃ４６］
前記情報が物理ダウンリンク共有チャネル（ＰＤＳＣＨ）のためのレートマッチング情報を示す、Ｃ３３に記載の装置。
［Ｃ４７］
前記情報が、１６直交振幅変調（ＱＡＭ）または６４ＱＡＭのトラフィックパイロット間（ＴＰＲ）変動を示す、Ｃ３３に記載の装置。
［Ｃ４８］
前記情報が、前記非サービングセルによって実装される測位基準信号（ＰＲＳ）の構成を示す、Ｃ３３に記載の装置。
［Ｃ４９］
サービング発展型ノードＢ（ｅＮＢ）から、少なくとも１つの非サービングセルの１つまたは複数の伝送特性を備える情報を受信することと、
前記受信した情報に基づいて、干渉消去、復調、または改善されたチャネル品質インジケータ（ＣＱＩ）を与えることのうちの少なくとも１つを実行することと
を行うためのコードを備えるコンピュータ可読媒体
を備える、コンピュータプログラム製品。
［Ｃ５０］
前記１つまたは複数の伝送特性が、前記少なくとも１つの非サービングセルの１つまたは複数の干渉特性を備える、Ｃ４９に記載のコンピュータプログラム製品。
［Ｃ５１］
前記１つまたは複数の干渉特性が、送信モード、最近使用された無線ネットワーク一時識別子（ＲＮＴＩ）値、ＩＣリスト、キャリアタイプ、キャリアリリース、仮想セル識別情報（ＩＤ）、制御スパン、オールモストブランクサブフレーム（ＡＢＳ）と非ＡＢＳとのうちの少なくとも１つのローディングレベルに関する統計値、前に使用されたトラフィック対パイロット比（ＴＰＲ）に関する統計値、前に使用されたＴＰＲ、前に使用された変調次数に関する統計値、および前に使用された変調次数のうちの少なくとも１つを備える、Ｃ５０に記載のコンピュータプログラム製品。
【図１】
0006266607.tif 000002
【図２】
0006266607.tif 000003
【図３】
0006266607.tif 000004
【図４】
0006266607.tif 000005
【図５】
0006266607.tif 000006
【図６】
0006266607.tif 000007
【図７】
0006266607.tif 000008
【図８】
0006266607.tif 000009
【図９】
0006266607.tif 000010
【図１０】
0006266607.tif 000011